(57)【要約】【課題】  部品点数がより少なく、より簡単な構成で、両面ディスクの各面の記録再生時について、ディスクのセンタリングを確実に行えるディスククランプ装置を提供する。【解決手段】  ターンテーブル２０上のディスク１のＡ面１ＡをセンタリングするＡ面用センタリング部材２１と、Ａ面センタリング状態でディスクのＢ面１Ｂを支持するディスク受け部２５ＡＤとＢ面をセンタリングするＢ面用センタリング部２５ＢＣとを備えたクランパ部材２５と、ターンテーブルとクランパ部材とに設けられた引力発生機構と、クランパ部材を回動させてＡ面センタリング状態に対応した第１クランプモードとＢ面センタリング状態に対応した第２クランプモードとの間でクランプモードを切り換えるクランパ部材回動機構とを備え、第１クランプモードから第２クランプモードへの切換時には、Ｂ面用センタリング部が、Ａ面センタリングを解除すると共にＢ面をセンタリングする。【選択図】図１
2005122877.tif 000002
【特許請求の範囲】
【請求項１】
ターンテーブル上に載置されたディスクを前記ターンテーブルに対してクランプするディスククランプ装置であって、
前記ターンテーブルのディスクを載置させるディスク載置面と反対側に配設され、前記ディスクの前記ターンテーブルに載置された第１面をセンタリングする第１センタリング手段と、
前記ターンテーブル及び前記ディスクを挟んで前記第１センタリング手段と対向するように配置され、前記ディスクの第１面を前記第１センタリング手段でセンタリングする際に前記ディスクの第１面と対向する第２面を支持するディスク受け部と、前記ディスクの第２面をセンタリングする第２センタリング手段と、を備えたクランパ部材と、
前記ディスクを引力によって前記ターンテーブルにクランプするために、前記ターンテーブル及び前記第１センタリング手段の少なくとも何れか一方と前記クランパ部材とに設けられた引力発生機構と、
前記ディスクの第１面をセンタリングした状態で当該ディスクをクランプする第１クランプモードと、前記ディスクの第２面をセンタリングした状態で当該ディスクをクランプする第２クランプモードとの間で、クランプモードを切り換えるために、前記クランパ部材を回動させるクランパ部材回動機構とを備え、
前記第１クランプモードから前記第２クランプモードに切り換えた際には、前記引力発生機構が発生する引力により、前記第２センタリング手段が、前記第１センタリング手段による前記ディスクの第１面についてのセンタリングを解除すると共に前記ディスクの第２面をセンタリングする、
ことを特徴とするディスククランプ装置。
【請求項２】
前記第１センタリング手段は、前記クランパ部材に対し相対移動可能に設けられ、前記第１センタリング部材を前記クランパ部材側に付勢する付勢手段が備えられていることを特徴とする請求項１記載のディスククランプ装置。
【請求項３】
前記第１クランプモードと第２クランプモードの両方において、前記引力発生機構の構成要素のうちクランパ部材に設けられる構成要素は、共通の部材で構成されることを特徴とする請求項１又は２に記載のディスククランプ装置。
【請求項４】
前記引力発生機構は、磁石と磁性体とで構成されていることを特徴とする請求項１〜３の何れか一に記載のディスククランプ装置。
【請求項５】
各々中心孔を有する一対の基板を貼り合わせることで両面を情報信号の記録が可能な記録面としたディスクをターンテーブルに載置し、該ターンテーブルに対してクランプするディスククランプ装置であって、
前記ディスクの一方の記録面の中心孔に係合して当該ディスクのセンタリングを行う第１センタリング手段と、
前記ディスクの他方の記録面の中心孔に係合して当該ディスクのセンタリングを行う第２センタリング手段と、
該第２センタリング手段を、前記ディスクに対向する対向状態と前記ディスクに対向しない非対向状態との間で移行させるように切り換える切換手段とを備え、
該切換手段は、前記第２センタリング手段で前記ディスクのセンタリングを行う際には、前記第２センタリング手段を前記ディスクに対向させ、前記第１センタリング手段で前記ディスクのセンタリングを行う際には、前記第２センタリング手段を前記ディスクに対して対向しない非対向状態とする、
ことを特徴とするディスククランプ装置。
【請求項６】
前記切換手段は、前記第２センタリング手段を前記対向状態と前記非対向状態との間で移行させる切換動作を、回転動作にて行うことを特徴とする請求項５記載のディスククランプ装置。
【発明の詳細な説明】
【技術分野】
【０００１】
本発明は、ディスク状の記録媒体（以下、適宜、単に「ディスク」と称する）に対して情報信号の記録及び／又は再生を行うディスク装置のうち、特にディスク両面の記録及び／又は再生が可能なディスク装置において、ディスクをターンテーブルに対して同心状態にクランプするディスククランプ装置に関するものである。
【背景技術】
【０００２】
周知のように、近年、ディスク装置の分野では、所謂ＤＶＤ（デジタル・ビデオ・ディスク若しくはデジタル・バーサタイル・ディスク）メディアに対して情報信号の記録及び／又は再生が可能なＤＶＤ記録再生装置の普及が著しい。かかるＤＶＤ記録再生装置の更なる普及を図るために、長時間連続して記録及び／又は再生が行えるようにすることが求められている。長時間連続した記録及び／又は再生を可能とする方法の一つとして、ディスクの両面について記録及び／又は再生可能なＤＶＤディスクを、片面毎のイジェクト動作を行うことなく、両面を連続して記録及び／又は再生を行う方法がある。
【０００３】
尚、本明細書において、「（ディスクに対する情報信号の）記録及び／又は再生」とは、「（ディスクへの情報信号の）記録及び（ディスクに記録されている情報信号の）再生の少なくとも何れか一方」の意であり、これを簡略化して表現したものである。従って、「（ディスクに対して情報信号の）記録及び／又は再生が可能なディスク装置（若しくはＤＶＤ記録再生装置）」とは、「（ディスクへの情報信号の）記録及び（ディスクに記録されている情報信号の）再生の両方が可能なディスク装置（若しくはＤＶＤ記録再生装置）」のみならず、「（ディスクに記録されている情報信号の）再生のみが可能な再生専用のディスク装置（若しくはＤＶＤ再生装置）」をも包含するものである。
【０００４】
従来、ディスク状（円板状）の記録媒体の両面（以下、片面をＡ面、他面をＢ面と称する）について情報信号の記録及び／又は再生を行うディスク装置としては、例えば特許文献１に記載された構成のものが知られている。
この特許文献１には、１対の光ピックアップをターンテーブルの表裏両側に配置し、これら一対の光ピックアップを選択的に用いるように構成されたディスク装置が開示されている。
【０００５】
また、特許文献１には、１つのターンテーブルに対して１つの光ピックアップが設けられ、この１つの光ピックアップを、Ａ面についての情報信号の記録時または再生時（以下、適宜、「Ａ面記録再生時」と簡略化して言う）にはＡ面側に移動して情報信号を読み書きさせ、Ｂ面についての情報信号の記録時または再生時（以下、適宜、「Ｂ面記録再生時」と簡略化して言う）にはＢ面側に移動して情報信号を読み書きさせるように構成されたディスク装置に組み込まれるディスククランプ装置が開示されている。
【０００６】
かかる従来のディスククランプ装置の構成について、図６〜図８を参照しながら説明する。
図６は、この従来技術に係るディスククランプ装置により、Ａ面及びＢ面の両面について記録及び／又は再生が可能なディスク（以下、「両面ディスク」と称する）をクランプする際のセンタリングの原理を示す断面説明図である。
【０００７】
この図に示すように、両面ディスク１は、Ａ面１Ａを有する基板とＢ面１Ｂを有する基板とが貼り合わされて構成されており、ディスク１の回転中心を決定付けるディスク中心部の孔については、Ａ面１Ａの中心孔１ＡｈとＢ面１Ｂの中心孔１Ｂｈとでは、その中心位置及び／又は直径寸法について不可避的に微細な差異が生じる。
【０００８】
従って、回転精度の高い理想的な記録または再生を行うためには、Ａ面記録再生時には、Ａ面１Ａの中心孔１Ａｈに対してＡ面用のセンタリング部材４を適用してセンタリング（芯出し）を行い、Ｂ面記録再生時には、Ｂ面１Ｂの中心孔１Ｂｈに対してＢ面用のセンタリング部材９を適用してセンタリングを行う必要がある。
尚、この場合、「センタリング」とは、ディスク１の回転中心を決定付けるディスク１の中心孔１Ａｈ又は１Ｂｈの中心が、ディスク１を回転させるモータ２（スピンドルモータ）のスピンドル３の回転中心軸と一致するように、所謂、「芯出し」することである。
【０００９】
図７は、両面ディスク１のＡ面１Ａについての情報信号の記録時または再生時（Ａ面記録再生時）における前記従来のディスククランプ装置を示す断面説明図であり、また、図８は、前記両面ディスク１のＢ面１Ｂについての情報信号の記録時または再生時（Ｂ面記録再生時）における前記従来のディスククランプ装置を示す断面説明図である。
これらの図に示すように、前記スピンドル３の外周部には、ディスク１を載置させるターンテーブル５が固定されており、スピンドルモータ２を回転駆動することにより、スピンドル３を介してターンテーブル５が回転させられる。
【００１０】
前記Ａ面用センタリング部材４は、ターンテーブル５との間に装着された圧縮バネ６によって図７及び図８における上方に付勢されている。また、クランパ８にはメインマグネット１０が固定される一方、ターンテーブル５には、前記メインマグネット１０の磁力に基づき該メインマグネット１０側への引力の作用を受ける磁性体７が固定されている。前記メインマグネット１０はヨーク１２と一体的に形成され、これらメインマグネット１０及びヨーク１２はプレスリング１３と一体的に形成されている。更に、前記Ｂ面用センタリング部材９にはサブマグネット１１が固定されている。
【００１１】
ディスク１のターンテーブル５と反対側（図７及び図８における上側）には、ディスク１を前記ターンテーブル５に押圧し得るクランプリング１４が配置され、該クランプリング１４と前記プレスリング１３の間には、クランプリング１４をディスク１側に付勢する圧縮バネ１５が装着されている。また、Ｂ面用センタリング部材９とプレスリング１３との間には、両者９，１３を互いに離間する向きに付勢する圧縮バネ１６が配設されている。
更に、Ｂ面用センタリング部材９の上方には、クランパ８を昇降させるクランプ板１７が配設されており、該クランプ板１７には、クランプ板１７の上昇に伴ってクランパ８を持ち上げるホルダ１８が設けられている。
【００１２】
前記Ｂ面用センタリング部材９のテーパ部９ａは、当該Ｂ面用センタリング部材９の全周にわたって完全に連続して形成されているのではなく、Ｂ面用センタリング部材９の周縁状の複数箇所（例えば、２又は３箇所）に分割して形成されており、プレスリング１３に構成されたスリットを上下方向に貫通している。前記Ｂ面用センタリング部材９は、プレスリング１３の中央の孔部１３ｈによって、上下方向に摺動可能にガイドされている。また、Ｂ面用センタリング部材９は、圧縮ばね１６によってプレスリング１３から離間する向き（図７及び図８における上方）に付勢されているが、プレスリング１３に設けられた複数の爪部１３Ｃによって、当該プレスリング１３に係止されている。更に、Ｂ面用センタリング部材９の中心部のガイド孔９Ｈには、前述のスピンドル３が上下方向に摺動可能に嵌合している。
【００１３】
次に、以上のように構成された従来のディスククランプ装置の作動について説明する。
図７に示されるように、Ａ面記録再生状態では、クランパ８とクランプ板１７とは、接触することなく離間している。この状態では、Ａ面用センタリング部材４のテーパ部４ａがＡ面１Ａの中心孔１Ａｈの周縁部に組み合わされることにより、両面ディスク１はＡ面１Ａでセンタリングされている。このセンタリング状態では、ディスク１はクランプリング１４によってターンテーブル５のディスク載置面５ｆに押圧されている。この押圧力は、ヨーク１２に固定されたメインマグネット１０とターンテーブル５に固定された磁性体７との間に作用する引力（磁力）によって発生する。この状態では、プレスリング１３とクランプリング１４とは上下方向について密着しており、両者が一体的な剛体として働くため、前記押圧力の大きさはメインマグネット１０と磁性体７の間に働く引力だけで決まることになる。
【００１４】
一方、図８はＢ面記録再生状態を示している。この状態は、以下のようにして得られる。
まず、クランプ板１７がクランプ板昇降手段（図示せず）によって下降させられることで、クランプ板１７がＢ面用センタリング部材９の最上部分の凸部９Ｔに当接する。これに伴って、Ｂ面用センタリング部材９がスピンドル３にガイドされながらＡ面用センタリング部材４を押し下げる。そして、Ｂ面用センタリング部材９のテーパ部９ａがＢ面１Ｂの中心孔１Ｂｈの周縁部に組み合わされることにより、両面ディスク１のＢ面１Ｂがセンタリングされる。この後、クランプ板１７が所定量だけ上昇させられてクランパ８から（具体的には、Ｂ面用センタリング部材９の最上部分の凸部９Ｔから）離間し、図８のＢ面記録再生状態が得られる。
【００１５】
この状態では、Ｂ面用センタリング部材９に固定サブマグネット１１がヨーク１２に対して十分に接近しており、サブマグネット１１とヨーク１２の間に作用する引力（磁力）が圧縮バネ１６の反発力（付勢力）よりも大きいため、両面ディスク１のＢ面１Ｂのセンタリング状態が保持されている。尚、このように、サブマグネット１１の磁力が圧縮バネ１６の付勢力に打ち勝ってＢ面１Ｂのセンタリング状態が保持されている状態を、自己保持状態と称する。
【００１６】
両面ディスク１についての情報信号の記録または再生状態を、Ｂ面記録再生状態からＡ面記録再生状態へ切り換えるには、クランプ板１７を上昇させ、ホルダ１８をＢ面用センタリング部材９に係止させて持ち上げることにより、ターンテーブル５に対する両面ディスク１の押圧状態を解除させ、その後に、再び図７に示すＡ面記録再生状態にすればよい。
【００１７】
以上説明したように、従来のディスククランパ装置では、クランパ８に設けられたメインマグネット１０の磁力で両面ディスク１のターンテーブル５へのセンタリング状態でのクランプを行い、メインマグネット１０に対し摺動可能で、かつ、自己保持用のサブマグネット１１と圧縮バネ１６を設けたＢ面用センタリング部材９を設け、クランプ板１７による強制力（外力）によってＢ面用センタリング部材９の位置を切り換えて自己保持させる構成にすることにより、Ａ面１ＡとＢ面１Ｂのそれぞれの面でのセンタリングを行えるようにしている。
【特許文献１】特許第２８５８３３７号公報
【発明の開示】
【発明が解決しようとする課題】
【００１８】
両面ディスクについて情報信号の記録及び／又は再生を行うディスク装置に組み込まれるディスククランプ装置としては、できるだけ簡素な構造のものが望ましいのであるが、前記従来の構成では、クランパ８に２つのマグネット（メインマグネット１０とサブマグネット１１）及び２つの圧縮バネ（圧縮バネ１５と圧縮バネ１６）が必要であり、部品点数が多く、また、クランパ８の構成もそれだけ複雑になる。
【００１９】
そこで、本発明は、部品点数がより少なく、より簡単な構成で、両面ディスクのＡ面記録再生時およびＢ面記録再生時のそれぞれの場合について、ディスクのセンタリングを確実に行うことができるディスククランプ装置を提供することを、基本的な目的としてなされたものである。
【課題を解決するための手段】
【００２０】
この目的を達成するために、本発明のディスククランプ装置は、ターンテーブル上に載置されたディスクを前記ターンテーブルに対してクランプするディスククランプ装置において、前記ターンテーブルのディスクを載置させるディスク載置面と反対側に配設され、前記ディスクのターンテーブルに載置された第１面をセンタリングする第１センタリング手段と、ターンテーブル及びディスクを挟んで前記第１センタリング手段と対向するように配置され、前記ディスクの第１面を前記第１センタリング手段でセンタリングする際に前記ディスクの第１面と対向する第２面を支持するディスク受け部と、前記ディスクの第２面をセンタリングする第２センタリング手段とを備えたクランパ部材と、前記ディスクを引力によってターンテーブルにクランプするために、ターンテーブル及び第１センタリング手段の少なくとも何れか一方と前記クランパ部材とに設けられた引力発生機構と、前記ディスクの第１面をセンタリングした状態で当該ディスクをクランプする第１クランプモードと、前記ディスクの第２面をセンタリングした状態で当該ディスクをクランプする第２クランプモードとの間で、クランプモードを切り換えるために、前記クランパ部材を回動させるクランパ部材回動機構とを備え、第１クランプモードから第２クランプモードに切り換えた際には、前記引力発生機構が発生する引力により、前記第２センタリング手段が、第１センタリング手段によるディスクの第１面についてのセンタリングを解除すると共にディスクの第２面をセンタリングする、ことを特徴としたものである。
【００２１】
この構成では、クランパ部材回動機構でクランパ部材を回動させることによってクランプモードを切り換えられ、第１クランプモードから第２クランプモードに切り換えた際には、引力発生機構が発生する引力の作用により、第２センタリング手段が、第１センタリング手段によるディスクの第１面についてのセンタリングを解除すると共にディスクの第２面をセンタリングする。従って、部品点数が比較的少なく簡単な構成で、ディスクの第１面及び第２面のそれぞれについてのセンタリングを確実に行える。
【発明の効果】
【００２２】
以上のように、本発明によれば、ディスクの第１面及び第２面のそれぞれについてのセンタリングを行うディスククランプ装置を、部品点数のより少ない比較的簡単な構成で実現できるという、優れた効果が得られる。
【発明を実施するための最良の形態】
【００２３】
本実施形態で開示される発明には、以下のような特徴をそれぞれ有するディスククランプ装置に関する発明が含まれる。すなわち、
第１の発明に係るディスククランプ装置は、ターンテーブル上に載置されたディスクを前記ターンテーブルに対してクランプするディスククランプ装置において、前記ターンテーブルのディスクを載置させるディスク載置面と反対側に配設され、前記ディスクのターンテーブルに載置された第１面をセンタリングする第１センタリング手段と、ターンテーブル及びディスクを挟んで前記第１センタリング手段と対向するように配置され、前記ディスクの第１面を前記第１センタリング手段でセンタリングする際に前記ディスクの第１面と対向する第２面を支持するディスク受け部と、前記ディスクの第２面をセンタリングする第２センタリング手段とを備えたクランパ部材と、前記ディスクを引力によってターンテーブルにクランプするために、ターンテーブル及び第１センタリング手段の少なくとも何れか一方と前記クランパ部材とに設けられた引力発生機構と、前記ディスクの第１面をセンタリングした状態で当該ディスクをクランプする第１クランプモードと、前記ディスクの第２面をセンタリングした状態で当該ディスクをクランプする第２クランプモードとの間で、クランプモードを切り換えるために、前記クランパ部材を回動させるクランパ部材回動機構とを備え、第１クランプモードから第２クランプモードに切り換えた際には、前記引力発生機構が発生する引力により、前記第２センタリング手段が、第１センタリング手段によるディスクの第１面についてのセンタリングを解除すると共にディスクの第２面をセンタリングする、ことを特徴としたものである。
【００２４】
この第１の発明では、ディスクの第１面を前記第１センタリング手段でセンタリングする際に前記ディスクの第２面を支持するディスク受け部と、前記ディスクの第２面をセンタリングする第２センタリング手段とを備えたクランパ部材を設け、クランパ部材回動機構でクランパ部材を回動させて第１クランプモードから第２クランプモードに切り換えた際には、引力発生機構が発生する引力の作用により、第２センタリング手段が、第１センタリング手段によるディスクの第１面についてのセンタリングを解除すると共にディスクの第２面をセンタリングする。これにより、従来に比して部品点数が少なく簡単な構成で、ディスクの第１面及び第２面のそれぞれについてのセンタリングを確実に行うことができる。
【００２５】
前記第１の発明において、前記第１センタリング手段は前記クランパ部材に対し相対移動可能に設けられ、第１センタリング手段をクランパ部材側に付勢する付勢手段が備えられていることが好ましい。
この場合には、前記付勢手段により第１センタリング手段をターンテーブル上のディスクに対して付勢することができ、また、前記第１センタリング手段は前記クランパ部材に対し相対移動可能であるので、第１クランプモードから第２クランプモードに切り換えた際に、前記引力発生機構が発生する引力により、前記第２センタリング手段が、確実に第１センタリング手段によるディスクの第１面についてのセンタリングを解除することができる。
【００２６】
以上の発明において、第１クランプモードと第２クランプモードの両方の場合について、前記引力発生機構の構成要素のうちクランパ部材に設けられる構成要素は、共通の部材であることが好ましい。
この場合には、引力発生機構の部品点数が少なくて済み、構成も簡素になる。
【００２７】
また、以上の発明において、前記引力発生機構は、磁石と磁性体とで構成されていることがより好ましい。
この場合には、より簡単な構成で確実に、ディスクを引力によってターンテーブルにクランプすることができる。
【００２８】
第２の発明に係るディスククランプ装置は、各々中心孔を有する一対の基板を貼り合わせることで両面を情報信号の記録が可能な記録面としたディスクをターンテーブルに載置し、該ターンテーブルに対してクランプするディスククランプ装置であって、前記ディスクの一方の記録面の中心孔に係合して当該ディスクのセンタリングを行う第１センタリング手段と、前記ディスクの他方の記録面の中心孔に係合して当該ディスクのセンタリングを行う第２センタリング手段と、該第２センタリング手段を、前記ディスクに対向する対向状態と前記ディスクに対向しない非対向状態との間で移行させるように切り換える切換手段とを備え、該切換手段は、前記第２センタリング手段で前記ディスクのセンタリングを行う際には、前記第２センタリング手段を前記ディスクに対向させ、前記第１センタリング手段で前記ディスクのセンタリングを行う際には、前記第２センタリング手段を前記ディスクに対して対向しない非対向状態とする、ことを特徴としたものである。
【００２９】
この第２の発明では、第２センタリング手段でディスクのセンタリングを行う際には、切換手段によって第２センタリング手段を前記ディスクに対向させ、第１センタリング手段でディスクのセンタリングを行う際には、前記切換手段によって第２センタリング手段を前記ディスクに対して対向しない非対向状態とすることにより、従来に比して簡単な構成で、ディスク両面のそれぞれについてのセンタリングを確実に行うことができる。
【００３０】
前記第２の発明において、前記切換手段は、前記第２センタリング手段を前記対向状態と前記非対向状態との間で移行させる切換動作を、回転動作にて行うことが好ましい。
この場合には、第２センタリング手段についての切換動作を、よりコンパクトなものにすることが可能になる。
【００３１】
以下、本発明の実施例について、添付図面を参照しながら説明する。
【実施例１】
【００３２】
図１は本発明の第１実施例に係るディスククランプ装置のＡ面記録再生時に対応した状態を示す断面説明図、図２は前記ディスククランプ装置のＢ面記録再生時に対応した状態を示す断面説明図、図３は前記ディスククランプ装置のクランプ部材回動機構の構成を示す斜視図である。
尚、以下の説明において、前述の従来技術に係るディスククランプ装置（図６〜図８参照）における場合と、同様の構成を備え同様の作用をなすものについては、同一の符号を付し、それ以上の説明は省略する。
【００３３】
図１及び図２に示すように、本実施例に係るディスククランプ装置は、ターンテーブル２０のディスク載置面２０ｆ上に載置された両面ディスク１のＡ面についての記録または再生時に用いられるＡ面用センタリング部材２１を備えている。該Ａ面用センタリング部材２１は、テーパ部２１ａを両面ディスク１のＡ面１Ａの中心孔１Ａｈの周縁部と組み合わせることにより、ディスク１のＡ面１Ａについてのセンタリングを行うもので、前記ターンテーブル２０のディスク載置面２０ｆと反対側に配置され、ターンテーブル２０に対して図１及び図２における上下方向に摺動可能に設けられている。
前記両面ディスク１のＡ面１Ａが、本願請求項に記載した（ディスクの）「第１面」，「一方の記録面」に相当し、前記Ａ面用センタリング部材２１が、本願請求項に記載した「第１センタリング手段」に相当している。
【００３４】
尚、前記Ａ面用センタリング部材２１のテーパ部２１ａは、当該Ａ面用センタリング部材２１の全周にわたって完全に連続するように形成してもよいし、或いは、Ａ面用センタリング部材２１の周縁の複数箇所（例えば２〜３箇所）に分割して形成し、ターンテーブル２０に構成されたスリットを上下に貫通させる構成としてもよい。また、本実施例では、Ａ面用センタリング部材２１は上下方向に摺動可能としたが、上下方向に限定されるものではない。ディスク装置の設置姿勢等に応じて、左右方向や前後方向など、他の方向について摺動することができる。
【００３５】
ターンテーブル２０とＡ面用センタリング部材２１との間には、Ａ面用センタリング部材２１を図１及び図２における上方に付勢する圧縮ばね２２が介装されている。また、ターンテーブル２０の図１及び図２における上部には、例えば鉄または鋼で製作された環状の磁性体２３が固定されている。尚、この磁性体２３をＡ面用センタリング部材２１に固定することもできる。
【００３６】
ターンテーブル２０上に載置されたディスク１を当該ターンテーブル２０に対して押圧しクランプするクランパ２４は、その主要な構成要素としてクランパ部材２５を備えている。該クランパ部材２５は、Ａ面用センタリング受け部２５ＡＣと、Ａ面用ディスク受け部２５ＡＤと、Ｂ面用センタリング部２５ＢＣと、Ｂ面用ディスク受け部２５ＢＤとを備えるとともに、スピンドル３を摺動可能に嵌合させるガイド孔２５Ｈが中心部に設けられている。前記クランパ部材２５は、ターンテーブル２０及びディスク１を挟んで、前記Ａ面用センタリング部材２１と対向するように配置されている。
【００３７】
前記Ａ面用センタリング受け部２５ＡＣはＡ面記録再生時にＡ面用センタリング部材２１と対向するものであり、前記Ａ面用ディスク受け部２５ＡＤはＡ面記録再生時に両面ディスク１の前記Ａ面１Ａに対向するＢ面１Ｂを支持しターンテーブル２０に対して押圧するものである。また、前記Ｂ面用センタリング部２５ＢＣは、Ｂ面記録再生時にＢ面１Ｂの中心孔１Ｂｈの周縁部と組み合わされてセンタリングを行うものであり、前記Ｂ面用ディスク受け部２５ＢＤはＢ面記録再生時に両面ディスク１をターンテーブル２０に対して押圧するものである。
尚、前記両面ディスク１のＢ面１Ｂが、本願請求項に記載した（ディスクの）「第２面」，「他方の記録面」に相当し、尚、クランパ部材２５の前記Ｂ面用センタリング部２５ＢＣが、本願請求項に記載した「第２のセンタリング手段」に相当している。
【００３８】
前記クランパ部材２５はクランプ板２７によって保持されている。このクランプ板２７は、クランパ部材２５を保持するとともに、後述するように回動及び昇降させるものであり、クランプ板２７とクランプ部材２５の嵌合部には、クランパ部材２５がターンテーブル２０に対して自在に昇降（摺動）し得るように、所定のクリアランス（隙間）が設けられている。尚、この隙間は、図示のようにクランプ板２７とクランプ部材２５とが完全に離間するような隙間であってもよいが、かかる隙間としては、少なくともクランパ２４がターンテーブル２０に対して支障なく摺動できる程度に確保されておれば良く、必ずしも完全に離間させておく必要はない。
【００３９】
また、クランパ部材２５には、例えば永久磁石でなる環状のマグネット２６が固定されている。このマグネット２６とターンテーブル２０に固定された前記磁性体２３とが、本願請求項に記載した「（ディスク１を引力によってターンテーブル２０にクランプする）引力発生機構」を構成しており、後述するように、ターンテーブル２０上のディスク１は、マグネット２６と磁性体２３との間に作用する磁力に基づく引力よって、ターンテーブル２０に対して押圧されクランプされるようになっている。
【００４０】
図３に示されるように、クランプ板２７の長手方向における両側端部には支軸２８がそれぞれ設けられており、クランプ板２７は、この支軸２８，２８を中心として回動できるようになっている。これら支軸２８，２８のうちの一方（図３における左方）の支軸２８の端末部には、クランプ板２７を回動させる際に駆動される駆動ギヤ３３が固定されている。また、クランプ板２７の長手方向における一方の（図３における左方の）側端部には、クランプ板２７の回転位置を規制する位置規制軸２９が設けられている。
【００４１】
一方、クランプ板２７の長手方向における両側方には、前記支軸２８をそれぞれ回動可能に支持する第１，第２の支持板３１，３２が配置され、これら支持板３１，３２は、その上部がベース部材３０に固定されている。尚、クランパ２４及びクランプ板２７等をディスク装置（不図示）に組み付ける際には、基本的には前記ベース部材３０を介して組み付けられる。
【００４２】
前記第２支持板３２には、クランプ板２７の位置規制軸２９が移動自在に嵌合するガイド孔３２ａが設けられている。第２支持板３２の側方には、クランプ板２７を回動させるモータ３４と、クランプ板２７の一方の（図３における右方の）支軸２８の端末部に固定された駆動ギヤ３３とが配置されており、モータ３４の出力軸に固定されたモータギヤ３５が前記駆動ギヤ３３と噛み合うように構成されている。
【００４３】
前記ベース部材３０は、図示しない昇降機構によりターンテーブル２０に対して昇降できるようになっている。尚、このベース部材３０の昇降機構は、具体的には図示しなかったが、従来公知の機構を適用することができ、例えばモータとギヤとラック部材とカムとで構成される。モータ３４が駆動されると、モータギヤ３５，駆動ギヤ３３及び支軸２８を介してクランプ板２７に駆動力が伝達され、クランプ板２７が支軸２８，２８を中心にして回動させられる。
尚、前記クランプ板２７と支軸２８，２８とモータ３４とモータギヤ３５と駆動ギヤ３３とで、本願請求項に記載した「（クランパ部材を回動させる）クランパ部材回動機構」を構成している。
【００４４】
次に、以上のように構成されたディスククランプ装置（図１〜図３参照）の作動について説明する。
まず、図１に示されたＡ面記録再生時の状態では、両面ディスク１はＡ面用センタリング部材２１のテーパ部２１ａによってＡ面１Ａがセンタリングされ、Ａ面用ディスク受け面２５ＡＤによってターンテーブル２０に押圧されている。この押圧力は、マグネット２６と磁性体２３との間に作用する磁力に基づく引力によって発生する。このクランプモードが、本願請求項に記載した「第１クランプモード」に相当している。また、この状態では、クランパ部材２５のＢ面用センタリング部２５ＢＣ（第２センタリング手段）は、ディスク１に対して対向しない非対向状態にある。
【００４５】
図２に示されたＢ面記録再生時の状態では、マグネット２６と磁性体２３との間に作用する磁力に基づく引力により、Ｂ面用センタリング部２５ＢＣが、圧縮バネ２２の付勢力に抗してＡ面用センタリング部材２１を押し下げると共に、ディスク１のＢ面１Ｂをセンタリングする。この状態では、両面ディスク１は、Ｂ面用ディスク受け部２５ＢＤによってターンテーブル２０に押圧されている。このクランプモードが、本願請求項に記載した「第２クランプモード」に相当している。また、この状態では、クランパ部材２５のＢ面用センタリング部２５ＢＣ（第２センタリング手段）は、ディスク１に対向する対向状態に維持されている。
【００４６】
Ａ面からＢ面への記録再生の切り換え（つまり、クランプモードの切り換え）は、図１の状態から、ベース部材昇降機構（不図示）によって、図３に示すようにベース部材３０がクランプ方向と逆方向（矢印Ｙ１方向）に上昇させられ、それに伴ってクランパ２４を保持するクランプ板２７が上昇して、クランパ２４がターンテーブル２０から離脱し、ガイド孔２５Ｈがスピンドル３から離脱する。尚、ベース部材３０の上昇完了位置は、クランプ板２７が支軸２８を中心にして回動する際に、クランプ板２７が他の部品と干渉することがない位置に設定されている。
【００４７】
クランパ２４が所定の位置（上昇完了位置）に達すると、モータ３４が回転し、モータギヤ３５と駆動ギヤ３３を介してクランプ板２７に回転力が伝達され、クランプ板２７が支軸２８を中心にして矢印Ｙ３方向に１８０°回転する。このクランプ板２７の回動動作は、位置規制軸２９が第２支持板３２に設けられたガイド溝３２ａの端部に当接することによって停止する。尚、本実施の形態において、クランプ板２７の回転方向は矢印Ｙ３方向に限らず、反対方向であっても構わない。また、回転角度も１８０度に限定されるものではない。
【００４８】
その後、ベース部材昇降機構（不図示）によって、ベース部材３０がクランプ方向（矢印Ｙ２方向）に下降し、それに伴ってクランパ２４を保持したクランプ板２７が下降して、クランパ２４のガイド孔２５Ｈにスピンドル３が嵌合する。これにより、図２に示すようなＢ面記録再生状態に達する。この時、クランパ部材２５のＢ面用センタリング部２５ＢＣがディスク１と対向するようになっている。
【００４９】
Ｂ面記録再生状態からＡ面記録再生状態への切り換えは、前記と逆の過程を辿って行われる。
【００５０】
以上のように、本実施例１によれば、クランパ部材２５に、Ｂ面用センタリング部２５ＢＣとＡ面用センタリング受け部２５ＡＣとマグネット２６とを設ける一方、ターンテーブル２０側に、Ａ面用センタリング部材２１と磁性体２３とを設けておき、Ａ面記録再生状態からＢ面記録再生状態との間で記録再生状態を切り換える際には、モータ３４やギヤ３３とクランパ板２７によってクランパ２４を１８０゜回転して、Ａ面用センタリング受け部２５ＡＣによるセンタリング状態とＢ面用センタリング部２５ＢＣによるセンタリング状態との間で切り換えを行い、Ｂ面記録再生時には、Ｂ面用センタリング部２５ＢＣでＡ面用センタリング部材２１を押し下げると共にＢ面１Ｂのセンタリングを行うようになっている。これにより、部品点数の少ない簡単なクランパ構成で、両面ディスク１のＡ面とＢ面のそれぞれの面でのセンタリングを、確実に行うことができる。
【００５１】
つまり、Ｂ面用センタリング部２５ＢＣでディスク１のセンタリングを行う際には、当該Ｂ面用センタリング部２５ＢＣをディスク１に対向させ、Ａ面用センタリング部材２１でディスク１のセンタリングを行う際には、Ｂ面用センタリング部２５ＢＣをディスク１に対して対向しない非対向状態に切り換えることにより、従来に比して簡単な構成で、ディスク１の両面１Ａ，１Ｂのそれぞれについてのセンタリングを確実に行うことができるのである。
【００５２】
この場合において、Ａ面用センタリング部材２１とターンテーブル２０の間に、Ａ面用センタリング部材２１をクランパ部材２５側に付勢する圧縮バネ２２が介装されていることにより、Ａ面用センタリング部材２１をターンテーブル２０上のディスク１に対して付勢することができる。また、前記Ａ面用センタリング部材２１はクランパ部材２５に対し相対移動可能であるので、第１クランプモードから第２クランプモードに切り換えた際に、前記引力発生機構が発生する引力により、Ｂ面用センタリング部２５ＢＣが、確実にＡ面用センタリング部材２１によるディスク１の第１面１Ａについてのセンタリングを解除することができる。
【００５３】
このようなＢ面用センタリング部２５ＢＣのディスク１に対する状態の切り換えは、クランパ部材回動機構による回動動作で行われるので、かかる切換動作を比較的コンパクトなものとすることができる。
【００５４】
また、前記引力発生機構の構成要素（磁性体２３，マグネット２６）のうちクランパ部材２５に設けられる構成要素（マグネット２６）は、第１クランプモードと第２クランプモードの両方の場合について、共通の部材であるので、従来に比して引力発生機構の部品点数が少なくて済み、構成も簡素になる。
【００５５】
この場合、前記引力発生機構を、マグネット２６と磁性体２３とで構成したことにより、より簡単な構成で確実に、ディスク１を引力によってターンテーブル２０にクランプすることができる。
【実施例２】
【００５６】
次に、本発明の第２実施例について説明する。
図４は本発明の第２実施例におけるディスククランプ装置のＡ面記録再生状態を示す断面説明図、図５は第２実施例におけるディスククランプ装置のＢ面記録再生状態を示す断面説明図である。
【００５７】
この第２実施例では、クランパ３６においてＢ面用センタリング部材３８がクランパ部材３７と別体で形成されている。このクランパ部材３７とＢ面用センタリング部材３８の間に、両者３７，３８を互いに離間させる方向に付勢する圧縮バネ３９が介装されており、Ｂ面用センタリング部材３８は、この圧縮バネ３９の付勢力の作用を受けながら、クランパ部材３７に対して上下方向に摺動可能に組み付けられている。
尚、Ｂ面用センタリング部材３８のテーパ部３８ａは、Ｂ面センタリング部材３８の全周にわたって完全に連続して配置してもよいし、Ｂ面センタリング部材３８の周縁部の複数箇所（例えば２〜３箇所）に分割して配置し、クランパ部材３７に設けられたスリットを上下に貫通した構成としてもよい。
【００５８】
前記圧縮バネ３９の弾性力は、Ａ面用センタリング部材２１を付勢する前記圧縮バネ２２の弾性力よりも大きく設定されており、ディスク１をＢ面でセンタリングする際には、マグネット２６と磁性体２３との間に作用する磁力に基づく引力により、Ｂ面用センタリング部材３８がＡ面用センタリング部材２１を押し下げてＢ面１Ｂの中心孔１Ｂｈでセンタリングすることができ、且つ、Ｂ面用ディスク受け部３７ＢＤで両面ディスク１をターンテーブル２０に対して所定の押圧力で押圧することができるように設定されている。
更に、クランパ部材３７の中心部のガイド孔３７Ｈには、モータ２のスピンドル３が摺動可能に嵌合するように構成されている。
【００５９】
次に、以上のように構成された第２実施例に係るディスククランプ装置の作動について説明する。
まず、図４に示されたＡ面記録再生時に対応する状態では、Ａ面用センタリング部材２１のテーパ部２１ａがディスク１のＢ面１Ｂの中心孔１Ｂｈの周縁部と組み合わされることにより、両面ディスク１は、Ａ面１Ａでセンタリングされ、また、Ａ面用ディスク受け部３７ＡＤによってターンテーブル２０に対して押圧されている。この押圧力は、マグネット２６と磁性体２３の間に作用する磁力に基づく引力によって発生する。
【００６０】
図５に示されるＢ面記録再生時に対応した状態では、マグネット２６と磁性体２３の間に作用する磁力に基づく引力により、Ｂ面用センタリング部材３８が、Ａ面用センタリング部材２１を矢印Ｙ５方向へ押し下げると共に、テーパ部３８ａがＢ面１Ｂの中心孔１Ｂｈの周縁部に当接してセンタリングを行う。この状態では、両面ディスク１はＢ面用ディスク受け部３７ＢＤによってターンテーブル２０に押圧されている。このとき、Ｂ面１Ｂの中心孔１Ｂｈの内径寸法のばらつきや偏心は、Ｂ面用センタリング部材３８がクランパ部材３７に対して押し下げられる動作を通じて吸収される。
【００６１】
Ａ面記録再生状態からＢ面記録再生状態への切り換え、及び、Ｂ面記録再生状態からＡ面記録再生状態の切り換えは、第１実施例における場合と同様に行われる。
【００６２】
以上のように、第２実施例では、クランパ部材３７とＢ面用センタリング部材３８とが別体に形成され、このクランパ部材３７とＢ面用センタリング部材３８の間に、両者３７，３８を互いに離間させる方向に付勢する圧縮バネ３９が介装されている。そして、Ｂ面用センタリング部材３８は、この圧縮バネ３９の付勢力の作用を受けながら、クランパ部材３７に対して上下方向に摺動可能に組み付けられている。
かかる構成としたことにより、Ｂ面記録再生時に、Ｂ面用センタリング部材３８のテーパ部３８ａを両面ディスク１のＢ面１Ｂの中心孔１Ｂｈの周縁部に当接させてセンタリングした場合、Ｂ面１Ｂの中心孔１Ｂｈの内径寸法のばらつきやＡ面１Ａの中心孔１Ａｈとの間の偏心量のばらつきを、Ｂ面用センタリング部材３８がクランパ部材３７に対して押し下げられる動作を通じて吸収できるようになり、高精度でセンタリングすることができる。
【００６３】
尚、以上の説明では、クランパ部材に設けるマグネットについて、Ａ面用センタリング受け部に対向する場合とＢ面用センタリング部に対向する場合とで共通のものが用いられていたが、この代わりに、Ａ面用センタリング受け面用のマグネットとＢ面用センタリング部用のマグネットを別々に設けてもよい。
【００６４】
また、以上の説明では、クランパ部材の回動機構は、モータとギヤとを主要部として構成されていたが、この代わりに、例えばモータとラック等、他の駆動機構で構成してもよい。
【００６５】
また、以上の説明では、ターンテーブルの上下位置を一定としクランパを上下動させてディスクをクランプするように構成されていたが、この代わりに、クランパの上下位置を一定としターンテーブルを上下動させてクランプするように構成することもできる。
【００６６】
また、以上説明では、マグネットをクランパ部材に設け磁性体をターンテーブルに設ける構成としたが、この代わりに、マグネットをターンテーブルに設け磁性体をクランパ部材に設ける構成としてもよい。
【００６７】
このように、本発明は、以上の実施形態に限定されるものではなく、その要旨を逸脱しない範囲において、種々の変更や修正等が行い得るものであることは言うまでもない。
【産業上の利用可能性】
【００６８】
本発明は、ディスク状の記録媒体に対して情報信号の記録及び／又は再生を行うディスク装置のうち、特にディスク両面の記録及び／又は再生が可能なディスク装置において、ディスクをターンテーブルに対して同心状態にクランプするディスククランプ装置に関するものであり、部品点数がより少なく、より簡単な構成で、両面ディスクのＡ面記録再生時およびＢ面記録再生時のそれぞれの場合について、ディスクのセンタリングを確実に行うことができ、例えば、ＣＤやＤＶＤに対して情報信号の記録及び／又は再生が可能なディスク装置のディスククランプ装置として、有効に利用することができる。
【図面の簡単な説明】
【００６９】
【図１】本発明の第１実施例に係るディスククランプ装置の両面ディスクのＡ面記録再生時に対応した状態を示す断面説明図である。
【図２】前記第１実施例に係るディスククランプ装置の両面ディスクのＢ面記録再生時に対応した状態を示す断面説明図である。
【図３】前記第１実施例に係るディスククランプ装置のクランパ部材回動機構の構成を示す斜視図である。
【図４】本発明の第２実施例に係るディスククランプ装置の両面ディスクのＡ面記録再生時に対応した状態を示す断面説明図である。
【図５】前記第２実施例に係るディスククランプ装置の両面ディスクのＢ面記録再生時に対応した状態を示す断面説明図である。
【図６】両面ディスクのセンタリング原理を示す断面説明図である。
【図７】従来例に係るディスククランプ装置の両面ディスクのＡ面記録再生時に対応した状態を示す断面説明図である。
【図８】前記従来例に係るディスククランプ装置の両面ディスクのＢ面記録再生時に対応した状態を示す断面説明図である。
【符号の説明】
【００７０】
１    両面ディスク
１Ａ    Ａ面
１Ｂ    Ｂ面
２    スピンドルモータ
３    スピンドル
２０    ターンテーブル
２０ｆ    ディスク載置面
２１    Ａ面用センタリング部材
２１ａ    テーパ部
２２    圧縮ばね
２３    磁性体
２４，３６    クランパ
２５，３７    クランプ部材
２５ＡＣ，３７ＡＣ    Ａ面用センタリング受け部
２５ＡＤ，３７ＡＤ    Ａ面用ディスク受け部
２５ＢＣ    Ｂ面用センタリング部
２５ＢＤ，３７ＢＤ    Ｂ面用ディスク受け部
２６    マグネット
２７    クランプ板
２８    支軸
３０    ベース部材
３１    支持板Ａ
３２    支持板Ｂ
３３    駆動ギヤ
３４    モータ
３５    モータギヤ
３８    Ｂ面用センタリング部材
３８ａ    テーパ部
３９    圧縮ばね
【図１】
2005122877.tif 000003
【図２】
2005122877.tif 000004
【図３】
2005122877.tif 000005
【図４】
2005122877.tif 000006
【図５】
2005122877.tif 000007
【図６】
2005122877.tif 000008
【図７】
2005122877.tif 000009
【図８】
2005122877.tif 000010